(57)【要約】【課題】乳幼児を対面抱っこで保持するためのベビーキャリアであって、使用者の体格を問わずに、体格に応じて適切な状態で使用者に装着することができるように改良されたベビーキャリアを提供する。【解決手段】乳幼児ｂの尻から背中に掛けて包み込むように保持するためのキャリア本体１と、このキャリア本体１の上端側に一端側が縫着される左右の肩掛けベルト２と、この肩掛けベルト２の他端側に連結部材４を介して一端側が連結され、他端側がキャリア本体１の下端側に係脱自在に連結される左右の連結ベルト３とを備えている。連結部材４は、対面抱っこの使用状態で、使用者Ｂの背中において略Ｘ字状に交差される左右の肩掛けベルト２と左右の連結ベルト３との当該交差部分を、リング方向に移動可能に連結するようにリング形状に形成されている。【選択図】図１
0003132608.tif 000002
【実用新案登録請求の範囲】
【請求項１】
乳幼児を対面抱っこや前向き抱っこの状態で保持するように形成されているベビーキャリアであって、
少なくとも乳幼児の尻から背中に掛けて包み込むように保持するためのキャリア本体と、
このキャリア本体の上端側に一端側が縫着されるとともに、他端側が前記キャリア本体の下端側に係脱自在に連結される左右の肩掛けベルトと、を備え、
対面抱っこや前向き抱っこの状態で、使用者の背中において略Ｘ字状に交差される前記左右の肩掛けベルトの当該交差部分を、略リング形状に形成されている連結部材を介してリング方向に移動可能にそれぞれ連結してなることを特徴とするベビーキャリア。
【請求項２】
前記キャリア本体の下端側に、バックルを介して一端側が係脱自在に連結される左右の連結ベルトを備え、この左右の連結ベルトの他端側を、前記連結部材に対してリング方向に移動可能にそれぞれ連結してなることを特徴とする請求項１に記載のベビーキャリア。
【考案の詳細な説明】
【技術分野】
【０００１】
本考案は、乳幼児を対面抱っこや前向き抱っこの状態で保持するために使用されるベビーキャリアに関する。
【背景技術】
【０００２】
乳幼児を対面抱っこや前向き抱っこの状態で保持することができるように形成されているベビーキャリアとしては種々の形態が知られている（例えば、特許文献１参照）
この特許文献１に記載されているベビーキャリアは、背当布の上端に背当紐を設け、この背当紐の両端に肩紐を縫着するとともに、この肩紐の上面に取り付けたベルトの下端を背当布に設けた帯紐へ係脱自在に連結し、さらに、前記肩紐ベルトの上端をカバ部材の補強紐の連結ベルトに伸縮自在に連結し、前記背当紐に、前記カバ部材と背当板とを着脱自在に組み付けた構成としている。
【特許文献１】特開平６−２５３９５９号公報（段落番号０００５〜０００７、及び図１、図８参照）
【考案の開示】
【考案が解決しようとする課題】
【０００３】
ところで、特許文献１に記載のベビーキャリアでは、同特許文献１の図８に示されているように、乳幼児を対面抱っこの状態で保持（キャリア）したときに、使用者の肩から背中に回されてカバ部材の下側（乳幼児の尻受け部）にバックルなどによって係脱自在に連結される左右の肩紐ベルトを、使用者の背中の略中央において略Ｘ字状に交差させている。これにより、肩紐ベルトが使用者の肩から不用意にずり落ちることを防ぐようにしている。
【０００４】
しかしながら、このように、使用者の背中において肩紐ベルトを交差させる肩紐ベルトの装着形態を採用したとしても、ずり落ちを確実に防ぐことができない。使用者の体格、特に小柄な体形の使用者においてはずり落ちが起き易いとされていた。
【０００５】
そこで、本考案は、前記課題を解消するために創案されたものであり、乳幼児を対面抱っこや前向き抱っこの状態で保持するためのベビーキャリアであって、使用者の体格を問わずに、体格に応じて適切な状態で使用者に装着することができるように改良されたベビーキャリアを提供することにある。
【課題を解決するための手段】
【０００６】
前記課題を解決するために、本考案では、乳幼児を対面抱っこや前向き抱っこの状態で保持するように形成されているベビーキャリアであって、
少なくとも乳幼児の尻から背中に掛けて包み込むように保持するためのキャリア本体と、このキャリア本体の上端側に一端側が縫着されるとともに、他端側が前記キャリア本体の下端側に係脱自在に連結される左右の肩掛けベルトと、を備え、対面抱っこや前向き抱っこの状態で、使用者の背中において略Ｘ字状に交差される前記左右の肩掛けベルトの当該交差部分を、略リング形状に形成されている連結部材を介してリング方向に移動可能に連結してなることを特徴とする。
ここで、前記キャリア本体の下端側にバックルを介して一端側が係脱自在に連結される一対の連結ベルトを備え、この左右の連結ベルトの他端側を前記連結部材に対してリング方向に移動可能に連結するように構成することが好適なものとなる。
【０００７】
このような構成によれば、使用者の両肩から背中へとそれぞれ掛けられる左右の肩掛けベルトと使用者の腹部や腰部分から背中へとそれぞれ回される連結ベルトは、略Ｘ字状に交差する背中の略中央部位において略リング形状の連結部材に連結されていることで、乳幼児を対面抱っこや前向き抱っこの状態において、肩掛けベルトが使用者の肩から不用意にずり落ちることはなくなる。
しかも、肩掛けベルトと連結ベルトは、連結部材に対してリング方向に移動可能にそれぞれ連結されていることで、使用者の体格、特に肩幅が広い人や狭い人などのように違いがあっても、体格に応じて肩掛けベルトと連結ベルトとは連結部材のリング方向に沿って移動することで、体格に応じた適切な状態で装着することができる。
【考案の効果】
【０００８】
本考案に係るベビーキャリアは以上のように構成されていることで、使用者の肩から不用意にずり落ちる心配もなく、しかも、肩掛けベルトは肩幅に応じて広く、狭く、そして連結ベルトは胴周りに応じて広く、狭くなるように連結部材のリング方向に沿って移動することによって、使用者の体格に応じた適切な状態で装着することができる。
【考案を実施するための最良の形態】
【０００９】
以下、本考案の実施形態について、適宜図面を参照しながら詳細に説明する。
図１は、本実施形態に係るベビーキャリアを後側から見た背面図であり、図２は、同ベビーキャリアの要部を示す拡大図であり、図３は、図２の断面図である。
【００１０】
≪ベビーキャリアの構成≫
図１に示すように、ベビーキャリアＡは、乳幼児ｂを保持するためのキャリア本体１と、このキャリア本体１の上端辺部の両側に縫着される左右の肩掛けベルト２と、キャリア本体１の下端辺部の両側にバックル５を介して係脱自在に連結される左右の連結ベルト３と、この連結ベルト３と肩掛けベルト２との連結するための連結部材４とを備えて構成されている。
【００１１】
また、ベビーキャリアＡは、図１に示すように、肩掛けベルト２が取り付けられるキャリア本体１の上端辺部の両側に、乳幼児ｂの上半身を巻き止めるための補助ベルト６を備えている。
これにより、補助ベルト６と乳幼児ｂの上半身（背中）を包み込むように保持するキャリア本体１の後記する背当て部１ａとによって、乳幼児ｂをより一層安全に保持することができるようにしている。
【００１２】
≪キャリア本体の構成≫
キャリア本体１は、例えば、通気性に優れ、柔らかなディンプル生地などから内張り素材を施しているシート地材を用いて形成されている。
そして、キャリア本体１は、図１および後記する図４に示すように、乳幼児ｂの尻から背中全体をすっぽりと包み込むように、上端辺部側を広く、下端辺部側に至るにしたがって狭くなる縦長で逆向きの略台形形状に形成されている。
【００１３】
また、キャリア本体１は、図１および図４に示すように、乳幼児bの背中全体を包み込むための背当て部１ａと、この背当て部１ａから延設されている乳幼児ｂの尻を受けるための尻受け部１ｂとの境において、乳幼児ｂの内股などが擦れたりしないように、略半月形状の刳り部分７を設けるとともに、当該刳り部分７に内張り素材であるディンプル生地を延設させて縁取りするように縫着処理を施している。
【００１４】
≪肩掛けベルトの構成≫
肩掛けベルト２は、キャリア本体１と同じシート地材を用いて適宜の幅と長さを有する帯形状に形成されている。そして、この肩掛けベルト２は、図１に示すように、一端側をキャリア本体１の上端辺部における左右両側に縫着などによってそれぞれ取り付けられるように形成されている。
そして、肩掛けベルト２の他端側には、図２および図３に示すように、連結部材４に対し、リング方向に移動可能にそれぞれ連結されるためのループ部２ａを縫着などによって形成されている。
【００１５】
ループ部２ａは、連結部材４のリング断面径に相当する大きさにて形成されている。これにより、肩掛けベルト２の他端側は、連結部材４のリング方向に沿って移動し得るようになっている（図２の実線、二点鎖線の状態）。
【００１６】
≪連結ベルトの構成≫
連結ベルト３は、周知の素材から、例えば、合成繊維などの丈夫な素材によって帯板状に編み込み形成されている。この連結ベルト３は、図１に示すように、一端側が、キャリア本体１の尻受け部１ｂの両側にそれぞれ備えられている左右のバックル５を介して、尻受け部１ｂに係脱自在にそれぞれ連結されるように形成されている。
そして、連結ベルト３の他端側には、図２および図３に示すように、連結部材４に対し、リング方向に移動可能にそれぞれ連結されるためのループ部３ａを縫着などによって形成されている。
【００１７】
ループ部３ａは、連結部材４のリング断面径に相当する大きさにて形成されている。これにより、連結ベルト３の他端側は、連結部材４のリング方向に沿って移動し得るようになっている（図２の実線、二点鎖線の状態）。
【００１８】
ちなみに、バックル５は、合成樹脂材料などの所望な成形材料によって周知の構造形態に形成されている。つまり、図１に示すように、雄側係止部材５ａを雌側係止部材５ｂに挿入係止させることによって連結され、雌側係止部材５ｂに対する雄側係止部材５ａの係止状態を解除させて、雄側係止部材５ａを雌側係止部材５ｂとから引く抜くことによって分離されるように形成されている。
【００１９】
≪連結部材の構成≫
連結部材４は、合成樹脂材料などの所望な硬質材料によって適宜の太さとリング径を有するリング形状に形成されている。具体的には、後記する図４および図５に示すように、使用者Ｂの一方の肩からと一方の腰から、そして他方の肩からと他方の腰から斜め（対角線上）にそれぞれ掛け渡されて背中の略中央部位で略Ｘ字状に交差される左右の肩掛けベルト２と左右の連結ベルト３との交差形態を保つことができるリング径にて形成されている。
つまり、連結部材４は、乳幼児ｂを対面抱っこの状態で保持する使用のときに、使用者Ｂの両肩にそれぞれ掛けられる肩掛けベルト２がずり落ちたりしないように、肩掛けベルト２を、使用者Ｂの背中の中央方向の斜めに向けて連結ベルト３と交差させる交差形態を保ちながら、なおかつ、交差形態の範囲において使用者Ｂの肩幅や腰周りなどの体格の違いに応じて交差角度を変更し得るように、肩掛けベルト２と連結ベルト３とをそれぞれリング方向に移動可能に連結するように形成されている。
【００２０】
つぎに、以上のように構成されている本実施形態に係るベビーキャリアＡの使用について簡単に説明する。
図４は、乳幼児を対面抱っこの状態で保持しているときに、使用者を前側から見たときの斜視図であり、図５は、使用者を後側から見たときの背面図である。ここでは、図２を適宜参照しながら説明する。
図４に示すように、乳幼児ｂをキャリア本体１に包み込んだ状態で、肩掛けベルト２を両肩にそれぞれ掛けるとともに、バックル５を介して連結ベルト３を尻受け部１ｂにそれぞれ連結することで、乳幼児ｂを使用者Ｂの正面方向（胸側）に向けた対面抱っこの状態で保持するキャリア姿勢をとることがきる。
このとき、使用者Ｂの両肩に掛けられて背中に向けられた左右の肩掛けベルト２と、使用者Ｂの腰周り両側近傍から背中に向けられた連結ベルト３とは、それぞれリング方向に移動可能に連結されている接続部材４によって、図５に示すように、使用者Ｂの背中の略中央部位において略Ｘ字状に交差された形態となる。
これより、使用者Ｂの両肩にかけられている左右の肩掛けベルトは、使用者の背中の略中央部位方向に引き込まれるように張られることによって、両肩から外側へのずり落ちることが阻止される。
【００２１】
そして、肩幅が広い、狭い、そして腰周りが大きい、小さいなどのように使用者Ｂの体格が異なった場合には、使用者Ｂの背中に略中央部位において左右の肩掛けベルト２と左右の連結ベルト３を連結している連結部材４に対する連結位置がリング方向に変移する。
つまり、肩幅が広い使用者の場合には、図２に二点鎖線で示すように、連結部材を基点として使用者の両肩に渡る左右の肩掛けベルトの略Ｖ字形状を呈している角度θ１が外側に開くように拡げられるとともに、使用者Ｂの腰周り両側に向けて渡る左右の連結ベルト３の略逆向きＶ字形状を呈している角度θ２を同じく外側に開くように拡げられるように、連結部材４に対する肩掛けベルト２と連結ベルト３とのループ部２ａ，３ａがリング方向に沿って互いに離れるようにそれぞれ移動される。
一方、肩幅が狭い使用者Ｂの場合には、図２に実線で示すように、連結部材４を基点として使用者Ｂの両肩に渡る左右の肩掛けベルト２の略Ｖ字形状を呈している角度θ１が内側に閉じるように狭められるとともに、使用者Ｂの腰周り両側に向けて渡る左右の連結ベルト３の略逆向きＶ字形状を呈している角度θ２を同じく内側に閉じるように狭められるように、連結部材４に対する肩掛けベルト２と連結ベルト３とのループ部２ａ，３ａがリング方向に沿って互いに近づくようにそれぞれ移動される。
【００２２】
このように構成されている本実施形態に係るベビーキャリアＡによれば、図３および図４に示すように、使用者Ｂの両肩から背中へとそれぞれ掛けられる左右の肩掛けベルト２と使用者Ｂの腹部や腰部分から背中へとそれぞれ回される左右の連結ベルト３は、略Ｘ字状に交差する背中の略中央部位において連結部材４に連結されていることで、乳幼児ｂを対面抱っこの状態において、肩掛けベルト２が使用者Ｂの肩から不用意にずり落ちることはなくなる。
【００２３】
また、肩掛けベルト２と連結ベルト３は、連結部材４に対してリング方向に移動可能にそれぞれ連結されていることで、使用者Ｂの体格、特に肩幅が広い人や狭い人などのように違いがあっても、体格に応じて肩掛けベルト２と連結ベルト３とは連結部材４のリング方向に沿って移動することで、体格に応じた適切な状態で装着することができる。
【００２４】
なお、本考案の実施形態の具体的な構成は、前記した実施形態に限られるものではなく、請求項１および請求項２に記載の本考案の要旨を逸脱しない範囲で設計変更などがあっても本考案に含まれるものである。
例えば、左右の肩掛けベルト２の他端側を、キャリア本体１の尻受け部１ｂの左右両側に、バックル５を介して係脱自在に連結するように形成するとともに、使用者Ｂの背中の略中央部位において略Ｘ字状に交差される左右の肩掛けベルトの途中部位を、連結部材４にてリング方向に移動可能に連結することができる。つまり、連結ベルト３は必ずしも必要としない場合もある。
また、連結部材４に連結するための左右の肩掛けベルト２と、左右の連結ベルト３とのそれぞれのループ部２ａ，３ａに、潤滑性に優れ、かつ、適宜の可撓性を有している合成樹脂などの材料を用いて形成されている移動筒体を設けることができる。
【図面の簡単な説明】
【００２５】
【図１】本実施形態に係るベビーキャリアを後側から見た背面図である。
【図２】同ベビーキャリアの要部を示す拡大図である。
【図３】図２のＩＩＩ−ＩＩＩ線における断面図である。
【図４】乳幼児を対面抱っこの状態で保持しているときに、使用者を前側から見たときの斜視図である。
【図５】乳幼児を対面抱っこの状態で保持しているときに、使用者を後側から見たときの背面図である。
【符号の説明】
【００２６】
Ａ      ベビーキャリア
１      キャリア本体
１ａ    背当て部
１ｂ    尻受け部
２      肩掛けベルト
３      連結ベルト
４      連結部材
５      バックル
６      補助ベルト
【図１】
0003132608.tif 000003
【図２】
0003132608.tif 000004
【図３】
0003132608.tif 000005
【図４】
0003132608.tif 000006
【図５】
0003132608.tif 000007